(57)【要約】【課題】クッション性や耐久性を向上させた敷物を提供すること。【解決手段】本発明では、複数の敷物構成体（２，１２）を水平方向に密接させた状態で並べて配置することで形成される敷物（１，１１）において、敷物構成体（２，１２）は、外装体（９，１９）の内部に水平方向を被覆する外周壁体（４，１４）を設けるとともに、外周壁体（４，１４）の内側に鉛直方向に伸縮する複数のコイル体（５，１５）を水平方向に並べて収容することにした。また、本発明では、水平方向に密着させた状態で並べて配置されることで敷物（１，１１）を形成する敷物構成体（２，１２）において、外装体（９，１９）の内部に水平方向を被覆する外周壁体（４，１４）を設けるとともに、外周壁体（４，１４）の内側に鉛直方向に伸縮する複数のコイル体（５，１５）を水平方向に並べて収容することにした。【選択図】図１
2019163635.tif 000002
【特許請求の範囲】
【請求項１】
複数の敷物構成体を水平方向に密接させた状態で並べて配置することで形成される敷物において、
敷物構成体は、外装体の内部に水平方向を被覆する外周壁体を設けるとともに、外周壁体の内側に鉛直方向に伸縮する複数のコイル体を水平方向に並べて収容したことを特徴とする敷物。
【請求項２】
水平方向に密着させた状態で並べて配置されることで敷物を形成する敷物構成体において、
外装体の内部に水平方向を被覆する外周壁体を設けるとともに、外周壁体の内側に鉛直方向に伸縮する複数のコイル体を水平方向に並べて収容したことを特徴とする敷物構成体。
【発明の詳細な説明】
【技術分野】
【０００１】
本発明は、複数の敷物構成体を水平方向に密接させた状態で並べて配置することで形成される敷物に関するものである。
【背景技術】
【０００２】
従来より、畳に代表される敷物は、床上に複数の畳を水平方向に密着させた状態で並べて配置して使用されている（たとえば、特許文献１参照。）。
【０００３】
この畳は、畳床を畳表で被覆した構成となっており、藁を板状に束ねた畳床によってクッション性を持たせている。
【先行技術文献】
【特許文献】
【０００４】
【特許文献１】特開２０１７−２０１１２２号公報
【発明の概要】
【発明が解決しようとする課題】
【０００５】
ところが、上記従来の敷物（畳）にあっては、藁を束ねた畳床を用いているためにクッション性が低く、クッション性を増大させるためには畳床の厚みを増大する必要があり、それに伴って重量が重くなってしまうものであった。
【０００６】
また、上記従来の敷物（畳）にあっては、藁を束ねた畳床でクッション性を持たせているために、長年の使用により畳床が経時劣化してしまい、耐久性にも問題があった。
【課題を解決するための手段】
【０００７】
そこで、請求項１に係る本発明では、複数の敷物構成体を水平方向に密接させた状態で並べて配置することで形成される敷物において、敷物構成体は、外装体の内部に水平方向を被覆する外周壁体を設けるとともに、外周壁体の内側に鉛直方向に伸縮する複数のコイル体を水平方向に並べて収容することにした。
【０００８】
また、請求項２に係る本発明では、水平方向に密着させた状態で並べて配置されることで敷物を形成する敷物構成体において、外装体の内部に水平方向を被覆する外周壁体を設けるとともに、外周壁体の内側に鉛直方向に伸縮する複数のコイル体を水平方向に並べて収容することにした。
【発明の効果】
【０００９】
そして、本発明では、以下に記載する効果を奏する。
【００１０】
すなわち、本発明では、敷物を形成する敷物構成体が、外装体の内部に水平方向を被覆する外周壁体を設けるとともに、外周壁体の内側に鉛直方向に伸縮する複数のコイル体を水平方向に並べて収容しているために、コイル体によってクッション性や耐久性を向上させることができるとともに軽量化を図ることができ、また、水平に密着させた状態で並べて配置されても外周壁体によって内側のコイル体に水平方向の外力がかかるのを防止することができてコイル体を良好に鉛直方向に伸縮させることができるので、より一層クッション性や耐久性を向上させることができる。
【図面の簡単な説明】
【００１１】
【図１】実施例１に係る敷物を示す斜視参考図。
【図２】実施例１に係る敷物構成体を示す平面図（ａ）、側面断面図（ｂ）。
【図３】実施例２に係る敷物を示す斜視参考図。
【図４】実施例２に係る敷物構成体を示す平面図（ａ）、側面断面図（ｂ）。
【発明を実施するための形態】
【００１２】
以下に、本発明に係る敷物及びその構成体（敷物構成体）の具体的な構成について、図面を参照しながら説明する。
【００１３】
［実施例１］
図１及び図２に示すように、実施例１に係る敷物１は、矩形板状の畳からなる敷物構成体２を水平方向に密着させた状態で床３に並べて配置することで形成されている。なお、中央の敷物構成体２は、４辺（外周）全てにおいて他の敷物構成体２と密接している。
【００１４】
敷物構成体２は、矩形枠状のウレタン等からなる外周壁体４の内側に鉛直方向に伸縮する複数のコイル体５を水平方向（縦方向及び横方向）に並べて収容している。
【００１５】
外周壁体４は、周囲を囲繞する無端状の所定の枠形状を保持しており、鉛直方向及び水平方向に伸縮可能ではあるが、鉛直方向にはコイル体５よりも伸縮しにくく、また、鉛直方向には水平方向よりも伸縮しやすくなっている。
【００１６】
複数のコイル体５は、図２に示すように複数個のポケットコイル同士を水平方向に連結したコイルシート６を用いているが、これに限定されるものではなく、個々のポケットコイルやスプリング等を独立して水平方向に並べたものでもよい。複数のコイル体５は、鉛直方向の伸縮を円滑に行わせるために水平方向に適度の隙間を設けて並べている。また、複数のコイル体５の外周部にも鉛直方向の伸縮を円滑に行わせるために外周壁体４との間に適度の隙間を設けて並べている。なお、複数のコイル体５は、図２に示すように、縦横に並行して配列しているが、縦横に千鳥状にずらして配列してもよい。また、複数のコイル体５は、水平方向に隙間を設けずに密接させて配置してもよい。
【００１７】
この敷物構成体２は、外周壁体４及び複数のコイル体５の上下にシート状の緩衝体7,8を水平に配置するとともに、全体を畳表からなる外装体９で被覆している。なお、外装体９は、外周壁体４よりも薄くし、周囲で外周壁体４に支持されて張設されており、外部から力がかかっても外装体９の張力によってコイル体５が完全に収縮（短縮）しないようになっており、左右縁部に畳縁10を設けている。また、緩衝体7,8は、一枚のシートでもよく複数枚のシートを重ねたものでもよく、上側の緩衝体７よりも下側の緩衝体８を厚くて重くしている。
【００１８】
このように、実施例１に係る敷物１は、四角形板状の畳からなる複数の敷物構成体２で形成されており、敷物構成体２が、外装体９の内部に水平方向を被覆する外周壁体４を設けるとともに、外周壁体４の内側に鉛直方向に伸縮する複数のコイル体５を水平方向に並べて収容した構成となっている。
【００１９】
そのため、上記構成の敷物構成体２では、コイル体５によってクッション性や耐久性を向上させることができるとともに軽量化を図ることができる。
【００２０】
また、上記構成の敷物１では、複数の敷物構成体２を密着させて水平方向に並べて配置することで隣接する敷物構成体２からの水平方向の外力が作用しても、外周壁体４によって外力が緩和されてコイル体５に水平方向の外力が作用するのを防止することができるので、コイル体５を良好に鉛直方向に伸縮させることができ、敷物構成体２のクッション性や耐久性を向上させることができる。
【００２１】
［実施例２］
図３及び図４に示すように、実施例２に係る敷物11は、六角柱状のクッションからなる敷物構成体12を水平方向に密着させた状態で床13に並べて配置することで形成されている。なお、中央の敷物構成体12は、６辺（外周）全てにおいて他の敷物構成体12と密接している。
【００２２】
敷物構成体12は、矩形枠状のウレタン等からなる外周壁体14の内側に鉛直方向に伸縮する複数のコイル体15を水平方向（縦方向及び横方向）に並べて収容している。
【００２３】
外周壁体14は、周囲を囲繞する無端状の所定の枠形状を保持しており、鉛直方向及び水平方向に伸縮可能ではあるが、鉛直方向にはコイル体15よりも伸縮しにくく、また、鉛直方向には水平方向よりも伸縮しやすくなっている。
【００２４】
コイル体15は、図４に示すようにポケットコイルを用いているが、これに限定されるものではなく、スプリング単体でもよく、また、複数個のポケットコイル同士を水平方向に連結したコイルシートを用いてもよい。複数のコイル体15は、鉛直方向の伸縮を円滑に行わせるために水平方向に適度の隙間を設けて並べている。また、複数のコイル体15の外周部にも鉛直方向の伸縮を円滑に行わせるために外周壁体14との間に適度の隙間を設けて並べている。なお、複数のコイル体15は、図４に示すように、縦横に千鳥状にずらして配列しているが、縦横に並行して配列してもよい。また、複数のコイル体15は、水平方向に隙間を設けずに密接させて配置してもよい。
【００２５】
この敷物構成体12は、外周壁体14及び複数のコイル体15の上下にシート状の緩衝体17,18を水平に配置するとともに、全体を布からなる外装体19で被覆している。なお、外装体19は、外周壁体14よりも薄くし、周囲で外周壁体14に支持されて張設されており、外部から力がかかっても外装体19の張力によってコイル体15が完全に収縮（短縮）しないようになっている。また、緩衝体17,18は、一枚のシートでもよく複数枚のシートを重ねたものでもよく、上側の緩衝体17よりも下側の緩衝体18を厚くて重くしている。
【００２６】
このように、実施例２に係る敷物11は、六角柱状のクッションからなる複数の敷物構成体12で形成されており、敷物構成体12が、外装体19の内部に水平方向を被覆する外周壁体14を設けるとともに、外周壁体14の内側に鉛直方向に伸縮する複数のコイル体15を水平方向に並べて収容した構成となっている。
【００２７】
そのため、上記構成の敷物構成体12では、コイル体15によってクッション性や耐久性を向上させることができるとともに軽量化を図ることができる。
【００２８】
また、上記構成の敷物11では、複数の敷物構成体12を密着させて水平方向に並べて配置することで隣接する敷物構成体12からの水平方向の外力が作用しても、外周壁体14によって外力が緩和されてコイル体15に水平方向の外力が作用するのを防止することができるので、コイル体15を良好に鉛直方向に伸縮させることができ、敷物構成体12のクッション性や耐久性を向上させることができる。
【符号の説明】
【００２９】
1,11  敷物                            2,12  敷物構成体
3,13  床                              4,14  外周壁体
5,15  コイル体                        ６  コイルシート
7,8,17,18  緩衝体                     9,19  外装体
10  畳縁
【図１】
2019163635.tif 000003
【図２】
2019163635.tif 000004
【図３】
2019163635.tif 000005
【図４】
2019163635.tif 000006